(57)【要約】【課題】  容易な操作で本人認証を実行することが可能な情報処理装置を提供する。【解決手段】  接触検出部１１と、キー判定部１２と、方向判定部１３と、認証判定部１４とを具備する情報処理装置を用いる。接触検出部１１は、ユーザによる複数のキーへの接触を検出する。キー判定部１２は、複数のキーのうちのユーザの接触した複数の接触キーを特定する。方向判定部１３は、複数の接触キーへの接触の順番に基づいて、複数の接触キーへの接触の方向としての第１接触方向を特定する。認証判定部１４は、第１接触方向と予め記憶された認証情報の第２接触方向と比較して、ユーザの認証を行う。【選択図】      図１
2006277522.tif 000002
【特許請求の範囲】
【請求項１】
ユーザによる複数のキーへの接触を検出する接触検出部と、
前記複数のキーのうちの前記ユーザの接触した複数の接触キーを特定するキー判定部と、
前記複数の接触キーへの接触の順番に基づいて、前記複数の接触キーへの接触の方向としての第１接触方向を特定する方向判定部と、
前記第１接触方向と予め記憶された認証情報の第２接触方向と比較して、前記ユーザの認証を行う認証判定部と
を具備する
情報処理装置。
【請求項２】
請求項１に記載の情報処理装置において、
前記複数のキーの配列を変更するキー変換部を更に具備し、
前記キー判定部は、前記変換された配列を参照して、前記複数の接触キーを特定し、
前記方向判定部は、前記変換された配列を参照して、前記複数の接触キーへの接触の順番に基づいて、前記第１接触方向を特定する
情報処理装置。
【請求項３】
請求項１又は２に記載の情報処理装置において、
前記認証判定部は、前記複数の接触キー及び前記第１接触方向と、前記認証情報の複数のキー及び前記第２接触方向とを比較して前記認証を行う
情報処理装置。
【請求項４】
（ａ）ユーザによる複数のキーへの接触を検出するステップと、
（ｂ）前記複数のキーのうちの前記ユーザの接触した複数の接触キーを特定するステップと、
（ｃ）前記複数の接触キーへの接触の順番に基づいて、前記複数の接触キーへの接触の方向としての第１接触方向を特定するステップと、
（ｄ）前記第１接触方向と予め記憶された認証情報の第２接触方向と比較して、前記ユーザの認証を行うステップと
を具備する
情報処理装置の認証方法。
【請求項５】
請求項４に記載の情報処理装置の認証方法において、
（ｅ）前記（ａ）ステップの前に、前記複数のキーの配列を変更するステップを更に具備し、
前記（ｂ）ステップは、
（ｂ１）前記変換された配列を参照して、前記複数の接触キーを特定するステップを備え、
前記（ｃ）ステップは、
（ｃ１）前記変換された配列を参照して、前記複数の接触キーへの接触の順番に基づいて、前記第１接触方向を特定するステップを備える
情報処理装置の認証方法。
【請求項６】
請求項４又は５に記載の情報処理装置の認証方法において、
前記（ｄ）ステップは、
（ｄ１）前記複数の接触キー及び前記第１接触方向と、前記認証情報の複数のキー及び前記第２接触方向とを比較して前記認証を行うステップを備える
情報処理装置の認証方法。
【請求項７】
（ａ）ユーザによる複数のキーへの接触を検出するステップと、
（ｂ）前記複数のキーのうちの前記ユーザの接触した複数の接触キーを特定するステップと、
（ｃ）前記複数の接触キーへの接触の順番に基づいて、前記複数の接触キーへの接触の方向としての第１接触方向を特定するステップと、
（ｄ）前記第１接触方向と予め記憶された認証情報の第２接触方向と比較して、前記ユーザの認証を行うステップと
を具備する
情報処理装置の認証方法をコンピュータに実行させるためのプログラム。
【請求項８】
請求項７に記載のプログラムにおいて、
（ｅ）前記（ａ）ステップの前に、前記複数のキーの配列を変更するステップを更に具備し、
前記（ｂ）ステップは、
（ｂ１）前記変換された配列を参照して、前記複数の接触キーを特定するステップを備え、
前記（ｃ）ステップは、
（ｃ１）前記変換された配列を参照して、前記複数の接触キーへの接触の順番に基づいて、前記第１接触方向を特定するステップを備える
プログラム。
【請求項９】
請求項７又は８に記載のプログラムにおいて、
前記（ｄ）ステップは、
（ｄ１）前記複数の接触キー及び前記第１接触方向と、前記認証情報の複数のキー及び前記第２接触方向とを比較して前記認証を行うステップを備える
プログラム。
【発明の詳細な説明】
【技術分野】
【０００１】
本発明は、情報処理装置及び情報処理装置の認証方法に関し、特にユーザの認証を行う情報処理装置及び情報処理装置の認証方法に関する。
【背景技術】
【０００２】
携帯電話やパーソナルコンピュータ（ＰＣ）のような情報処理装置において、他人に不正に使用されないように使用時にユーザの認証を行う本人認証の技術が知られている。例えば、多くの個人情報が記憶されている携帯電話は、おき忘れや紛失の際に他人による操作を防止するために、パスワード認証の機能を備えている。ただし、その操作方法は、キー入力により複数の桁数の数字を入力するという方式である。そのため、複数のキーを押下する必要がある。加えて、複数の桁数を覚える必要がある。複数のキーの押下、複数の桁数の記憶が必要な認証を、より容易な方法で実行することが可能な技術が望まれる。
【０００３】
関連する技術として特開昭６３−２３７６５１号公報にアクセス機能付多機能電話機が開示されている。このアクセス機能付多機能電話機は、データ入力キーを有し予め設定された特定パターンデータを暗証キーとして格納してなる。暗証キー記録回路と、暗証内容変更回路と、暗証キー検出回路と、キー照合回路と、アクセス動作回路と、ブザーと、ブザー停止用押電鍵と、アクセス動作表示ランプとを有する。暗証キー記録回路は、前記特定パターンデータを格納する。暗証内容変更回路は、前記特定パターンデータを随時変更することができる。暗証キー検出回路は、前記アクセス機能付多機能電話機使用時に使用者が前記データ入力キーから入力した前記暗証キーと同一内容の入力パターンデータを検出する。キー照合回路は、前記入力パターンデータと前記特定パターンデータとの照合を行い照合の結果一致の場合にはパターン一致信号を送出し不一致の場合にはパターン不一致信号を送出する。アクセス動作回路は、前記パターン一致信号を受信して回線へのアクセスが可能とする。ブザーは、前記パターン不一致信号によって鳴動する。ブザー停止用押電鍵は、前記パターン不一致信号を切断し前記ブザーの鳴動を停止させる。アクセス動作表示ランプは、前記アクセス動作回路のアクセス動作可能の場合に表示する。
【０００４】
特開２００４−３１８３６２号公報に情報端末が開示されている。この情報端末は、複数の釦が行列に配置されてなるテンキー部を備える。前記テンキー部における複数の釦が所定の順序で触れられたとき、該順序に対応させて、画面のスクロール方向を規定するスクロール方向信号を出力する処理回路を有する。
【０００５】
特開２００３−２０２９３３号公報に携帯型情報処理装置及び携帯型情報処理装置における機器制御方法が開示されている。この携帯型情報処理装置は、第一の操作ボタンと、第二の操作ボタンと、検出手段と、制御手段とを具備する。第一の操作ボタンは、機器電源をオンオフする。第二の操作ボタンは、所定の機能を実行する。検出手段は、前記第一及び第二の操作ボタンの操作状況を検出する。制御手段は、前記検出手段で検出した前記第一及び第二の操作ボタンの操作に伴う機器電源をオンするための操作順序と予め機器に登録された機器電源をオンするための操作順序とを照合し、電源オン可能と判断した場合には機器電源をオンするための処理を実行し、電源オン不可能と判断した場合には機器電源をオンするための処理は実行しないよう制御する。
【０００６】
特開２００１−８４０５１号公報に触覚インタフェース装置及びその方法が開示されている。この触覚インタフェース装置は、操作入力手段と、触覚提示手段と、入力特定手段とを有する。操作入力手段は、利用者が操作を行う。触覚提示手段は、前記利用者に少なくとも一つの触覚刺激を、前記操作入力手段を用いて提示する。入力特定手段は、前記触覚提示手段によって提示された前記触覚刺激に関する触覚刺激情報と、前記操作入力手段によって入力された操作情報の組み合わせに基づいて、前記利用者からの入力内容を特定する。
【０００７】
【特許文献１】特開昭６３−２３７６５１号
【特許文献２】特開２００４−３１８３６２号
【特許文献３】特開２００３−２０２９３３号
【特許文献４】特開２００１−８４０５１号
【発明の開示】
【発明が解決しようとする課題】
【０００８】
本発明の目的は、容易な操作で本人認証を実行することが可能な情報処理装置及び情報処理装置の認証方法を提供することにある。
【０００９】
本発明の他の目的は、認証情報の記憶をより容易にすることが可能な情報処理装置及び情報処理装置の認証方法を提供することにある。
【課題を解決するための手段】
【００１０】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１１】
上記課題を解決するために、本発明の情報処理装置は、接触検出部（１１）と、キー判定部（１２）と、方向判定部（１３）と、認証判定部（１４）とを具備する。
接触検出部（１１）は、ユーザによる複数のキーへの接触を検出する。キー判定部（１２）は、複数のキーのうちのユーザの接触した複数の接触キーを特定する。方向判定部（１３）は、複数の接触キーへの接触の順番に基づいて、複数の接触キーへの接触の方向としての第１接触方向を特定する。認証判定部（１４）は、第１接触方向と予め記憶された認証情報の第２接触方向と比較して、ユーザの認証を行う。
本発明により、キーを押す（触る）指の軌跡で認証情報を記憶すれば良いので、容易に認証情報を記憶することができる。キーの接触方向で認証されるので、入力操作もし易い。
【００１２】
上記の情報処理装置において、複数のキーの配列を変更するキー変換部（図示されず）を更に具備する。キー判定部（１２）は、変換された配列を参照して、複数の接触キーを特定する。方向判定部（１３）は、変換された配列を参照して、複数の接触キーへの接触の順番に基づいて、第１接触方向を特定する。
本発明により、キー配列が変わってもキーを押す（触る）指の軌跡で認証情報を記憶すれば良いので、容易に認証情報を記憶することができる。毎回異なる数字や記号を押しているので、他人に見られそうになっても認証情報を盗まれ難い。
【００１３】
上記の情報処理装置において、認証判定部（１４）は、複数の接触キー及び第１接触方向と、認証情報の複数のキー及び第２接触方向とを比較して認証を行う。
本発明により、認証情報として数字や記号と接触方向とを組み合わせるので、操作性や記憶し易さを殆ど変えずに、安全性を高めることができる。
【００１４】
上記課題を解決するために、本発明の情報処理装置の認証方法は、（ａ）ユーザによる複数のキーへの接触を検出するステップと、（ｂ）複数のキーのうちのユーザの接触した複数の接触キーを特定するステップと、（ｃ）複数の接触キーへの接触の順番に基づいて、複数の接触キーへの接触の方向としての第１接触方向を特定するステップと、（ｄ）第１接触方向と予め記憶された認証情報の第２接触方向と比較して、ユーザの認証を行うステップとを具備する。
【００１５】
上記の情報処理装置の認証方法において、（ｅ）（ａ）ステップの前に、複数のキーの配列を変更するステップを更に具備する。（ｂ）ステップは、（ｂ１）変換された配列を参照して、複数の接触キーを特定するステップを備える。（ｃ）ステップは、（ｃ１）変換された配列を参照して、複数の接触キーへの接触の順番に基づいて、第１接触方向を特定するステップを備える。
【００１６】
上記の情報処理装置の認証方法において、（ｄ）ステップは、（ｄ１）複数の接触キー及び第１接触方向と、認証情報の複数のキー及び第２接触方向とを比較して認証を行うステップを備える。
【００１７】
上記課題を解決するために、本発明プログラムのは、（ａ）ユーザによる複数のキーへの接触を検出するステップと、（ｂ）複数のキーのうちのユーザの接触した複数の接触キーを特定するステップと、（ｃ）複数の接触キーへの接触の順番に基づいて、複数の接触キーへの接触の方向としての第１接触方向を特定するステップと、（ｄ）第１接触方向と予め記憶された認証情報の第２接触方向と比較して、ユーザの認証を行うステップとを具備する。
【００１８】
上記のプログラムにおいて、（ｅ）（ａ）ステップの前に、複数のキーの配列を変更するステップを更に具備する。（ｂ）ステップは、（ｂ１）変換された配列を参照して、複数の接触キーを特定するステップを備える。（ｃ）ステップは、（ｃ１）変換された配列を参照して、複数の接触キーへの接触の順番に基づいて、第１接触方向を特定するステップを備える。
【００１９】
上記のプログラムにおいて、（ｄ）ステップは、（ｄ１）複数の接触キー及び第１接触方向と、認証情報の複数のキー及び第２接触方向とを比較して認証を行うステップを備える。
【発明の効果】
【００２０】
本発明により、情報処理装置において、容易な操作で本人認証を実行することが可能となる。また、認証情報の記憶をより容易にすることができる。
【発明を実施するための最良の形態】
【００２１】
以下、本発明の情報処理装置及び情報処理装置の認証方法の実施の形態に関して、添付図面を参照して説明する。
【００２２】
まず、本発明の情報処理装置の実施の形態の構成について説明する。図１は、本発明の情報処理装置の実施の形態の構成を示すブロック図である。情報処理装置１は、制御部２、タッチキー３、押圧キー４、メモリ５、表示部６、通信部７を具備する。
【００２３】
情報処理装置１は、携帯電話や、ＰＤＡ（Ｐｅｒｓｏｎａｌ  Ｄｉｇｉｔａｌ  Ａｓｓｉｓｉｔａｎｔ）、パーソナルコンピュータ（ＰＣ）、銀行のＡＴＭ（Ａｕｔｏｍａｔｉｃ  Ｔｅｌｌｅｒ  Ｍａｃｈｉｎｅ）のような本人認証が必要な情報処理装置である。
【００２４】
押圧キー４は、機械的な押下で入力を行うキーである。複数の数字キー、複数の記号キーに例示される。タッチキー３は、押圧キー４と同等の分解能で入力を検出可能な静電型のタッチセンサーである。押圧キー４の有する複数のキーの各々において、その背面に設けられている。押圧キー４と同じ複数の数字キー、複数の記号キーに例示される。
【００２５】
例えば、ユーザが押圧キー４の数字キー「７」に接触したとき、押圧キー４の「７」の背面に有るタッチキー３の「７」が接触を検知する。それにより、「７」が入力となる。更に、ユーザが強く数字キー「７」を押せば、押圧キー４の「７」が入力を検出して、更に「７」が入力となる。ユーザとしては接触するだけで入力になるので、その操作が容易になる。特に携帯電話では、片手で操作する場合や不自由な体勢で操作する場合など、手に力が入らないことがあり、このような操作性の向上が好ましい。
【００２６】
制御部２は、メモリ５に格納されたプログラム及び認証情報を用い、ユーザによる押圧キー４及びタッチキー３の入力に基づいて、本人認証を実行する。制御部２は、ＣＰＵ（Ｃｅｎｔｒａｌ  Ｐｒｏｃｅｓｓｉｎｇ  Ｕｎｉｔ）に例示される。
【００２７】
メモリ５は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  ｍｅｍｏｒｙ）、書込み可能な不揮発性メモリを含む。ＲＯＭには本人認証用のプログラムが格納されている。書込み可能な不揮発性メモリには認証情報が格納されている。
【００２８】
表示部６は、液晶ディスプレイに例示される表示装置とそのドライバである。
通信部７は、携帯電話であれば基地局と通信し、ＰＣであればネットワークを介した通信を行う。
【００２９】
図２は、本発明の情報処理装置の実施の形態の構成を示すブロック図である。制御部２で動作する本人認証用のソフトウエア（プログラム）の構成を示している。プログラムは、キー接触検出部１１と、キー判定部１２と、方向判定部１３と、認証判定部１４とを具備する。
【００３０】
キー接触検出部１１は、ユーザによる複数のタッチキー３への接触を検出する。キー判定部１２は、接触された複数のタッチキー３としての複数の接触キーを特定する。方向判定部１３は、複数の接触キーへの接触の順番と、接触方向を特定する。認証判定部１４は、順番及び接触方向と予め記憶された認証情報とを比較して、ユーザの認証を行う。
【００３１】
ここで、キー接触検出部１１とキー判定部１２と方向判定部１３と認証判定部１４とは、ソフトウエアで実現する例を示している。しかし、これらは、ハードウエア、及び、ソフトウエアとハードウエアとの組合せのいずれかで実現することも可能である。
【００３２】
図３は、本発明で用いる認証情報を示す表である。認証情報は、第１パスワードと、第２パスワードとを含む。認証情報として、本発明では第２パスワード、又は、第２パスワードと第１パスワードとの組合せを用いる。
【００３３】
第１パスワードは、数字の並び（例：１２３１５９）、又は、数字及び記号の並び（例：＊０＃＊８６）である。すなわち、パスワードとしては、数字又は記号の種類と、その順番とが用いられる。
【００３４】
第２パスワードは、キーの方向（接触方向）（例：１→２→３→１→５→９）である。ただし、方向の認識方法としては、例えば、キーの位置の並びを認識する方法を用いる。キーの位置の並びは、以下の方法で特定する。例えば、キーの位置を二次元配列で考え、左から右へ列番号を振り、上から下へ行番号を振る。そして、左上のキーの位置を（１，１）とし、（１，１）の下のキー位置を（２、１）、（１，１）の右のキーの位置を（１，２）のように設定する。すなわち、パスワードとしては、このキーの位置の並び（例示：（１，１）、（１，２）、（１，３）、（１，１）、（２，２）、（３，３））としての順番及び接触方向が用いられる。
【００３５】
次に、本発明の情報処理装置の認証方法の実施の形態について説明する。図４は、本発明の情報処理装置の認証方法を示す概念図である。
【００３６】
第１パスワードのみを用いた認証の場合、第１パスワードをたとえば「１２３１５９」とすると、Ａ１の矢印で示される「１」「２」「３」をこの順で入力し、Ａ２の矢印で示される「１」「５」「６」をこの順で入力することによりユーザは認証される。
【００３７】
一方、本発明では、第２パスワード、又は、第２パスワードと第１パスワードとの組合せを用いて認証を行う。第２パスワードのみを用いた認証の場合、第２パスワードを例えば「（１，１）、（１，２）、（１，３）、（１，１）、（２，２）、（３，３）」とすると、Ａ１の矢印で示される「１」「２」「３」をこの順で入力し、Ａ２の矢印で示される「１」「５」「６」をこの順で入力すると、それぞれ「（１，１）」「（１，２）」「（１，３）」の入力と、「（１，１）」「（２，２）」「（３，３）」の入力に対応するので、ユーザは認証される。
【００３８】
本発明の場合、ユーザは、縦／横／斜めに隣り合うキーの並びを第２パスワードとして選択しておけば、キーを押す（触る）指の軌跡で認証情報を記憶すれば良いので、容易に認証情報を記憶することができる。すなわち、数字や記号を記憶する必要がない。また、第２パスワードはキーの接触方向なので、入力操作もし易い。この場合、タッチキー３を用いると、指の動きが円滑になり指の軌跡を再現し易く、認証が容易に行えるので好ましい。この図の例の場合、左上のキーを始点として、まず矢印Ａ１に示される右方向へタッチキー３の上をなぞるように触って行き、その後、左上のキーを始点として、矢印Ａ２に示される右方向へタッチキー３の上をなぞるように触って行く。それにより、本人認証を行うことができる。すなわち、認証情報であるキーの並び（接触方向）として矢印Ａ１、Ａ２を覚えればよい。
【００３９】
更に、第２パスワードとして、例えば「（１，１）、（１，２）、（１，３）、（１，１）、（２，２）、（３，３）」に「（２，１）、（２，２）、（１，３）、（２，１）、（３，２）、（４，３）」を加えること可能である。この場合、矢印Ａ１、Ａ２を平行移動した矢印Ｂ１、Ｂ２もまた第２パスワードとなる。すなわち、矢印Ａ１、Ａ２及び矢印Ｂ１、Ｂ２のいずれでも認証を行うことができる。すなわち、より容易に指の軌跡による認証情報を記憶し、操作することが可能となる。
【００４０】
図５は、本発明の情報処理装置の他の認証方法を示す概念図である。この場合、情報処理装置１の入力装置がタッチパネルの場合、キーの順番を自由に変更できる。すなわち、タッチキー３の代わりにタッチパネル（図示されず）を用い、制御部２の制御プログラムとして、キーの順番をランダムに変換するキー変換部（図示されず）を追加すれば良い。キー変換部による変換情報を用いて、他のキー接触検出部１１、キー判定部１２、方向判定部１３及び認証判定部１４は、入力されたキーを認識することができる。このようにすればユーザがパスワードを入力するとき他人が盗み見ても、パスワードを盗み難くできる。ただし、キーの位置が通常と異なるため、パスワードを忘れる危険性がある。その場合でも、本発明を用いれば、第２パスワードとして、例えば「（１，１）、（１，２）、（１，３）、（１，１）、（２，２）、（３，３）」であれば、矢印Ａ３、Ａ４のように入力すれば、本人認証を受けることができる。すなわち、押すべきキーの位置が同じなため、パスワードを間違える危険性が少ない。
【００４１】
この場合、第２パスワードを方向ではなく、キーの位置にすることも可能である。例えば、「（１，１）、（２，３）、（３，１）、（４，２）」のようにする。この場合、図４ならば「１６７０」となるが、図５ならば「＊９４２」となる。このようにしても、ユーザがパスワードを入力するとき他人が盗み見ても、パスワードを盗み難くできる。加えて、押すべきキーの位置が同じなため、パスワードを間違える危険性が少ない。
【００４２】
更に、第２パスワードとして、「（１，１）、（１，２）、（１，３）」のような方向と、回数とを組み合わせたものを用いることも可能である。あるいは、第２パスワードとして、「（１，１）、（１，２）、（１，３）」方向と、その反対方向とを組み合わせたものを用いることも可能である。
【００４３】
本発明では、第２パスワードと第１パスワードとの組合せを用いて認証を行うことも可能である。例えば、第１パスワードを「６７０」とし、第２パスワードを「（１，１）、（１，２）、（１，３）」とすれば、図４の場合では、「６」「７」「０」とキー入力した後、矢印Ａ１をたどることで、本人認証を受けることができる。これは、「６７０１２３」と入力したことになる。一方、図５の場合では、「６」「７」「０」とキー入力した後、矢印Ａ３をたどることで、本人認証を受けることができる。これは、「６７０＊０＃」と入力したことになる。このため、ユーザがパスワードを入力するとき他人が盗み見ても、パスワードを盗み難くできる。加えて、パスワードの半分については押すべきキーの位置が同じなため、パスワードを間違える危険性が少ない。
【００４４】
図６は、本発明の情報処理装置の認証方法を示すフローチャートである。ここでは、第２パスワードのみを用いた認証を例にして説明する。
【００４５】
キー接触検出部１１は、ユーザによるタッチキー３のキーへの接触を監視している（ステップＳ１）。
キー接触検出部１１がユーザによるタッチキー３のキーへの接触を検出すると、キー判定部１２は、ユーザによって接触された複数の接触キーを特定する（ステップＳ２）。例えば、複数の接触キーとして、「１」「２」「３」「１」「５」「６」が特定される。
続いて、方向判定部１３は、複数の接触キーへの接触の順番と、接触方向を特定する（ステップＳ３）。例えば、接触の順番が「１」→「２」→「３」→「１」→「５」→「６」であることを特定する。それと共に、接触方向として各キーの座標が（１，１）、（１，２）、（１，３）、（１，１）、（２，２）、（３，３）であることを特定する。
次に、認証判定部１４は、特定した順番及び接触方向と予め記憶された認証情報とを比較して、ユーザの認証を行う（ステップＳ４）。たとえば、認証情報の第２パスワードが順番も含めて（１，１）、（１，２）、（１，３）、（１，１）、（２，２）、（３，３）である場合、特定した順番及び接触方向と予め記憶された認証情報とは一致している。したがって、認証判定部１４は、ユーザが正規のユーザであると認定する。一致していない場合、認証判定部１４は、ユーザが正規のユーザでないと認定する。
ユーザが正規のユーザであると認定された場合、認証判定部１４は、ユーザのアクセスを許可する旨を表示部６に表示するとともに、情報処理装置１をユーザが操作可能な状態にする（ステップＳ５）。ユーザが正規のユーザでないと認定された場合、認証判定部１４は、ユーザのアクセスを拒否する旨を表示部６に表示する（ステップＳ６）。
【００４６】
このようにして情報処理装置におけるユーザの認証を実施することができる。この例では、第２パスワードだけを用いている。しかし、上述したように、第２パスワードだけを用いた他のバリエーション、又は、第１パスワードと第２パスワードとの組合せを用いたバリエーションも可能である。
【００４７】
以上説明したように、本発明における携帯電話のような情報処理装置は、操作性が良く、認証強度も高い方式にて本人認証を行うことが可能である。それにより、セキュリティを確保出来る。
【図面の簡単な説明】
【００４８】
【図１】図１は、本発明の情報処理装置の実施の形態の構成を示すブロック図である。
【図２】図２は、本発明の情報処理装置の実施の形態の構成を示すブロック図である。
【図３】図３は、本発明で用いる認証情報を示す表である。
【図４】図４は、本発明の情報処理装置の認証方法を示す概念図である。
【図５】図５は、本発明の情報処理装置の他の認証方法を示す概念図である。
【図６】図６は、本発明の情報処理装置の認証方法を示すフローチャートである。
【符号の説明】
【００４９】
１    情報処理装置
２    制御部
３    タッチキー
４    押圧キー
５    メモリ
６    表示部
７    通信部
１１    キー接触検出部
１２    キー判定部
１３    方向判定部
１４    認証判定部
【図１】
2006277522.tif 000003
【図２】
2006277522.tif 000004
【図３】
2006277522.tif 000005
【図４】
2006277522.tif 000006
【図５】
2006277522.tif 000007
【図６】
2006277522.tif 000008